(57)【特許請求の範囲】
【請求項１】
胴巻用であり、長方形を成す第１帯と、該第１帯とは別体であって、お太鼓形成用であり、長方形を成す第２帯と、前記第１帯と前記第２帯とを連結させるための紐と、を含む帯の装着方法であって、
前記第１帯を帯装着者の胴部に巻き付けた後、前記第１帯の両端部で形成される結び目が前記胴部に巻き付けた部位の外側に配置されるように片輪結びを行う第１段階と、
中央付近で二つ折りにした前記第２帯の折った方の先端を前記結び目と前記胴部に巻き付けた部位との間に下から上へ向けて通す第２段階と、
前記結び目の上方において前記第２帯が形成する輪部の中に前記紐を通した後、前記紐の一方を前記結び目の中に通す第３段階と、
前記結び目の中を通した前記紐の一方と前記紐の他方とを前記輪部に皺ができる程度に強く結ぶことによって、前記第１帯と前記第２帯とを緊結させる第４段階と、
前記結び目の上側を通した前記第２帯の先端部を前記結び目の下側に上方から挿入し、下方へ通して前記お太鼓の土台となる部位を形成する第５段階と、
前記お太鼓の土台となる部位の上側を通した前記第２帯の先端部を前記結び目の下側に上方から挿入し、下方へ通した後、前記第２帯の形を整えて前記お太鼓となる部位を形成する第６段階と、を含むことを特徴とする帯の装着方法。
【請求項２】
前記第４段階において、前記紐が形成する結び目を前記第１帯が形成する結び目の中に挿入し外部から見えないように隠すことを特徴とする請求項１に記載の帯の装着方法。
【請求項３】
前記第５段階において、前記皺のできた前記輪部が前記結び目の下側に配置されるように前記第２帯を下方に引き下げた後、前記お太鼓の土台となる部位を形成することを特徴とする請求項１又は２に記載の帯の装着方法。
【請求項４】
前記帯が、一方端に有する咬持機構によって自身を咬持して形成される環状部の周囲長を調整できるゴム紐を備え、
前記お太鼓となる部位の内側上方に前記ゴム紐を通した後、前記ゴム紐の両端部を前記胴部の前側へ配置させ、前記咬持機構によって前記ゴム紐の適宜位置を咬持させると共に、前記ゴム紐を前記第１帯の内側に挿入して隠す第７段階を含むことを特徴とする請求項１乃至３の何れか一に記載の帯の装着方法。
【請求項５】
前記第１帯及び前記第２帯が、半幅帯であることを特徴とする請求項１乃至４の何れか一に記載の帯の装着方法。
【発明の詳細な説明】
【技術分野】
【０００１】
和服用帯の装着方法の技術に関する。
【背景技術】
【０００２】
和服とは、我が国在来の衣服のことであり、近年では我が国における民族服ともされる。しかしながら、日常的に和服を着る女性を見かける機会は少ないのが実情である。
【０００３】
そういった実情の背景には様々な要因が存在するが、その一つとして考えられるのは、和服の帯の結び方が複雑であるため、着用に時間が掛かる、又は、着用者が自分で帯装着を行うことが難しく、熟練の着付け人が必要になる場合があるというものである。
【０００４】
そのような状況下、装着が容易な和服用帯の開発・提案が盛んに行われており、例えば、特許文献１では、熟練した着付け人を必要としなくても、気軽に着物を着て蝶結び帯を楽しむことができるとともに、さらに結んだ後にも着崩れがしにくく、また見た目には帯を自然に結んだように見える蝶結び帯が提案されている。
【先行技術文献】
【特許文献】
【０００５】
【特許文献１】特開２００５−２３４８９号公報
【発明の概要】
【発明が解決しようとする課題】
【０００６】
上記従来技術においては、着用者の胴部に巻く帯本体には、帯本体を固定するための帯留め部や蝶結びを形成する蝶結び部が予め装備されているため、体格差に応じた調整が困難であったり、外観が元来の和服帯に比べ劣ったりするという問題点が有った。
【０００７】
そこで本発明では、上記問題点に鑑み、体格の違いによる特別な手当ての必要が無い上に、装着が容易で、かつ、優れた外観を備える、構成が簡易な帯の装着方法を提供することを目的とする。
【課題を解決するための手段】
【０００８】
開示する帯の装着方法の一形態は、胴巻用であり、長方形を成す第１帯と、該第１帯とは別体であって、お太鼓形成用であり、長方形を成す第２帯と、前記第１帯と前記第２帯とを連結させるための紐と、を含む帯の装着方法であって、前記第１帯を帯装着者の胴部に巻き付けた後、前記第１帯の両端部で形成される結び目が前記胴部に巻き付けた部位の外側に配置されるように片輪結びを行う第１段階と、中央付近で二つ折りにした前記第２帯の折った方の先端を前記結び目と前記胴部に巻き付けた部位との間に下から上へ向けて通す第２段階と、前記結び目の上方において前記第２帯が形成する輪部の中に前記紐を通した後、前記紐の一方を前記結び目の中に通す第３段階と、前記結び目の中を通した前記紐の一方と前記紐の他方とを前記輪部に皺ができる程度に強く結ぶことによって、前記第１帯と前記第２帯とを緊結させる第４段階と、前記結び目の上側を通した前記第２帯の先端部を前記結び目の下側に上方から挿入し、下方へ通して前記お太鼓の土台となる部位を形成する第５段階と、前記お太鼓の土台となる部位の上側を通した前記第２帯の先端部を前記結び目の下側に上方から挿入し、下方へ通した後、前記第２帯の形を整えて前記お太鼓となる部位を形成する第６段階と、を含むことを特徴とする。
【発明の効果】
【０００９】
開示する帯の装着方法は、簡易な構成の帯を用いて、体格の違いによる特別な手当ての必要が無い上に、装着が容易で、かつ、優れた外観を備える。
【図面の簡単な説明】
【００１０】
【図１】本実施の形態に係る帯の構成要素を示す図である。
【図２】本実施の形態に係る紐とゴム紐の先端部を示す図である。
【図３】本実施の形態に係る帯の装着方法を説明する図である。
【図４】本実施の形態に係る帯の装着方法を説明する図である。
【図５】本実施の形態に係る帯の装着方法を説明する図である。
【図６】本実施の形態に係る帯の装着方法を説明する図である。
【図７】本実施の形態に係る帯の装着方法を説明する図である。
【図８】本実施の形態に係る帯の装着方法を説明する図である。
【図９】本実施の形態に係る帯の装着方法を説明する図である。
【図１０】本実施の形態に係る帯の装着方法を説明する図である。
【図１１】本実施の形態に係る帯の装着方法を説明する図である。
【図１２】本実施の形態に係る帯の装着方法を説明する図である。
【図１３】本実施の形態に係る帯の装着方法を説明する図である。
【図１４】本実施の形態に係る帯の装着方法を説明する図である。
【図１５】本実施の形態に係る帯の装着方法を説明する図である。
【図１６】本実施の形態に係る帯の装着方法を説明する図である。
【図１７】本実施の形態に係る帯の装着方法を説明する図である。
【図１８】本実施の形態に係る帯の装着方法を説明する図である。
【図１９】本実施の形態に係る帯の装着方法を説明する図である。
【図２０】本実施の形態に係る帯の装着方法を説明する図である。
【図２１】本実施の形態に係る帯の装着方法を説明する図である。
【図２２】本実施の形態に係る帯の装着方法を説明する図である。
【図２３】本実施の形態に係る帯の装着方法を説明する図である。
【図２４】本実施の形態に係る帯の装着方法を説明する図である。
【図２５】本実施の形態に係る帯の装着方法を説明する図である。
【図２６】本実施の形態に係る帯の装着方法を説明する図である。
【図２７】本実施の形態に係る帯の装着方法を説明する図である。
【図２８】本実施の形態に係る帯の装着方法を説明する図である。
【図２９】本実施の形態に係る帯の装着方法を説明する図である。
【図３０】本実施の形態に係る帯の装着方法を説明する図である。
【図３１】本実施の形態に係る帯の装着方法を説明する図である。
【図３２】本実施の形態に係る帯の装着方法を説明する図である。
【図３３】本実施の形態に係る帯の装着方法を説明する図である。
【図３４】本実施の形態に係る帯の装着方法を説明する図である。
【図３５】本実施の形態に係る帯の装着方法を説明する図である。
【図３６】本実施の形態に係る帯の装着方法を説明する図である。
【図３７】本実施の形態に係る帯の装着方法を説明する図である。
【図３８】本実施の形態に係る帯の装着方法を説明する図である。
【図３９】本実施の形態に係る帯の装着方法を説明する図である。
【図４０】本実施の形態に係る帯の装着方法を説明する図である。
【図４１】本実施の形態に係る帯の装着方法を説明する図である。
【図４２】本実施の形態に係る帯の装着方法を説明する図である。
【発明を実施するための形態】
【００１１】
図面を参照しながら、本発明を実施するための形態について説明する。
（本実施の形態に係る帯の装着方法の流れ）
【００１２】
図１乃至４２を用いて、本実施の形態に係る帯１の装着方法について説明する。図１で示すように、帯１は、第１帯２、第２帯４、紐６、ゴム紐８を有する。第１帯２、第２帯４は、半幅帯であることが好適であるが、半幅帯であることに限定されるものではない。第１帯２は、帯装着者の胴部に巻くための帯であり、長方形を成す部位である。第１帯２は、例えば、短手方向が１５ｃｍ〜１７ｃｍ程度、長手方向が２８５ｃｍ程度である。
【００１３】
第２帯４は、第１帯２とは別体であって、お太鼓を形作る部位であり、長方形を成す部位である。第２帯４は、例えば、短手方向が１５〜１７ｃｍ程度、長手方向が２２１ｃｍ程度である。
【００１４】
紐６は、第１帯２と第２帯４とを連結させるための紐状体であり、特に、特徴的な形状、機能を有するものではない。紐６の材質は、例えば、木綿性であるが、これに限定されるものではない。紐６は、例えば、幅が１ｃｍ程度、長さが６５ｃｍ程度である。
【００１５】
ゴム紐８は、伸縮性を備える体であり、例えば、ゴムで形成される。図２で示すように、ゴム紐８は、一方端に咬持機構を有し、帯装着者は、咬持機構にゴム紐８の一部を咬持させることによって形成される環状部の周囲長を調整することが可能である。ゴム紐８は、例えば、幅が２ｃｍ程度であり、長さが７４ｃｍ程度であり、また、咬持機構の長さは、例えば、４ｃｍ程度である。
【００１６】
帯１の装着方法を、７つのステップ（段階）に分けて説明する。図３乃至１７を用いて、第１段階について説明する。図３乃至１７は、第１段階の流れについて順を追って説明している図である。
【００１７】
図３乃至１７で示すように、帯装着者は、第１帯２を自分の胴部に巻き付けた後、第１帯２の両端部で形成される結び目が、胴部に巻き付けた部位の外側に配置されるように片輪結びを行う。図３で示すように、帯装着者は、手先を３０ｃｍ程度取ってクリップで留めて、自身の肩に上げておく。
【００１８】
図４で示すように、帯装着者は、第１帯２にて、自身の胴を二巻きする。一巻目の前帯の角と、二巻き目の帯を持ってしっかりと締める。次に帯装着者は、手先を下ろし、一巻き目のたれを脇の下まで引き出す。そして、図５及び６で示すように、帯装着者は、手先を上にして、もう片方の手でたれを持ち、その手先を巻き込んで結ぶ。
【００１９】
図７で示すように、帯装着者は、上側の帯を胸の上に広げ、下側の帯を広げて垂直に下げる。そして、図８及び９で示すように、帯装着者は、下側の帯を片輪リボン結びになるように折り、そのまんなかあたりを指で摘まんでリボンを形作る。
【００２０】
図１０及び１１で示すように、帯装着者は、上側の帯を下に降ろしていく。図１２では、横側から見た状態を示す。図１３乃至１６で示すように、帯装着者は、下ろした帯を指で摘まんだ部分に巻き付けるように作業を進め、摘まんだ指で巻き付けようとしている帯先も摘まみ、さらにそのまま中に引き込んでいく。
【００２１】
図１７で示すように、帯装着者が上記作業を進めていくと、片輪結び（片輪リボン結び）が出来上がる。このように、帯１の装着方法は、第１帯２を帯装着者の胴部に巻き付けて、片輪結びをするだけであるので、体格の違いによる特別な手当てが必要無い。
【００２２】
図１８乃至２０を用いて、第２段階について説明する。図１８乃至２０は、第２段階の流れについて順を追って説明している図である。図１８乃至２０で示すように、帯装着者は、中央付近で二つ折りにした第２帯４の折った方の先端を、第１帯２で形成した片輪結びの結び目と第１帯２の胴部に巻き付けた部位との間に下から上へ向けて通す。
【００２３】
図１８で示すように、帯装着者は、第２帯４を手に持ち、ちょうど真ん中の位置で折る。図１９で示すように、次に、帯装着者は、真ん中で折った第２帯４の先端を、第１段階で形成した片輪結びの結び目と胴に巻いた部位との間に上方へ押し出すように挿入していく。図２０で示すように、次に、帯装着者は、片輪結びの結び目の上側に出てきた第２帯４の先端を、手で摘まんで引き上げる。
【００２４】
図２１乃至２３を用いて、第３段階について説明する。図２１乃至２３は、第３段階の流れについて順を追って説明している図である。図２１乃至２３で示すように、帯装着者は、片輪結びの結び目の上方において第２帯４が形成する輪部の中に紐６を通した後、紐６の一方を、片輪結びの結び目の中に通す。
【００２５】
図２１で示すように、帯装着者は、引き上げた輪の中に紐６を通し、輪から出る左右の紐６の長さが均等になるようにする。図２２及び２３で示すように、次に、帯装着者は、輪の左右から出る紐６のどちらか一方を、片輪結びの結び目の中に挿入し、挿入位置の反対側から紐６が出てくるようにする。
【００２６】
図２３乃至２６を用いて、第４段階について説明する。図２３乃至２６は、第４段階の流れについて順を追って説明している図である。図２３及び２４で示すように、帯装着者は、片輪結びの結び目の中を通した紐６の一方と紐６の他方とを、第２帯４が形成する輪部に皺ができる程度に強く結ぶことによって、第１帯２と第２帯４とを緊結させる。図２５及び２６で示すように、さらに、帯装着者は、紐６が形成する結び目を、第１帯２が形成する片輪結びの結び目の中に挿入し、外部から見えないように隠す。ここで、帯装着者は、二つ折りされた第２帯４（下がっている部位）の前側・後ろ側の長さを揃えることが、後に綺麗なお太鼓を形成する上で好適である。
【００２７】
図２７乃至３１を用いて、第５段階について説明する。図２７乃至３１は、第５段階の流れについて順を追って説明している図である。図２７で示すように、帯装着者は、皺のできた第２帯４が形成する輪部が、第１帯２が形成する片輪結びの結び目の下側に配置されるように、第２帯４を下方に引き下げる。図２８乃至図３１で示すように、次に、帯装着者は、片輪結びの結び目の上側を通した第２帯４の先端部を、片輪結びの結び目の下側に上方向から挿入し、結び目の下方へ通すことによって、お太鼓の土台となる部位を形成する。
【００２８】
なお、帯装着者は、二つ折りにされた第２帯４の垂れ下がった２枚を重ねたまま、上記の作業を行う。ここでも、帯装着者は、二つ折りされた第２帯４（下がっている部位）の前側・後ろ側の長さを揃えることが、後に綺麗なお太鼓を形成する上で好適である。
【００２９】
図３２乃至３５を用いて、第６段階について説明する。図３２乃至３５は、第６段階の流れについて順を追って説明している図である。図３２及び３３で示すように、帯装着者は、第５段階で形成したお太鼓の土台となる部位の上側を通した第２帯４の先端部を、片輪結びの結び目の下側に上方向から挿入し、結び目の下方へ通す。つまり、第６段階では、第５段階で行った作業と同じことを再度行う。図３４及び３５で示すように、次に、帯装着者は、表側に出ている第２帯４の形を整えることによって、お太鼓となる部位を形成する。
【００３０】
図３５で示すように、帯装着者は、表側に出ている２枚の第２帯４のうち下側の布地を横にずらしたり、たれも左右にずらしたりするなどして、自分好みのお太鼓を形成することができる。
【００３１】
図３６乃至４０を用いて、第７段階について説明する。図３６乃至４０は、第７段階の流れについて順を追って説明している図である。第７段階は、帯装着者の背中側での作業となる。図３６及び３７で示すように、帯装着者は、第６段階で形成したお太鼓となる部位の内側上方にゴム紐８を通す。図３８で示すように、帯装着者は、その後、ゴム紐８の両端部を自身の胴部の前側へ配置させる。図３９で示すように、次に、帯装着者は、ゴム紐８の咬持機構によってゴム紐８の適宜位置を咬持させる。図３９で示すように、その後、帯装着者は、ゴム紐８を第１帯２の内側に挿入して隠す。
【００３２】
図３６で示すように、帯装着者は、表側に配置される２枚の第２帯４を上から持ち上げて、形成される輪の中にゴム紐８を通していく。図３７で示すように、帯装着者は、背中上部のゴム紐８を、引っ張りながら上方に持ち上げる。図３８で示すように、帯装着者は、ゴム紐８を引っ張りながら自身の胴部の前側へ持ってくる。図３９で示すように、帯装着者は、自分にちょうど良い引っ張り具合の位置で、咬持機構によってゴム紐８を咬持させて、ゴム紐８で形成される環の周囲長を固定する。ゴム紐８は、帯揚げの役割を果たす。
【００３３】
図４１及び４２で示すように、帯装着者による帯の装着方法が完了し、帯装着者は、角出し結び風の帯結びを、短時間のうちに、ふっくらと綺麗に仕上げることができる。また、第１帯２及び第２帯４が半幅帯である場合でもあっても、同様に、角出し結び風の帯結びを、短時間のうちに、ふっくらと綺麗に仕上げることができる。
【００３４】
上記のように、本発明に係る帯の装着方法は、構成が簡易な帯１を用いて、体格の違いによる特別な手当ての必要が無い上に、装着が容易で、かつ、優れた外観を備えるものである。
【００３５】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３６】
１    帯
２    第１帯
４    第２帯
６    紐
８    ゴム紐
【要約】
【課題】
開示する帯装着方法は、簡易な構成の帯を用いて、体格の違いによる特別な手当ての必要が無い上に、装着が容易で、かつ、優れた外観を備える。
【解決手段】
第１帯を胴部に巻き付けた後、第１帯両端部で形成される結び目が胴部に巻き付けた部位の外側に配置されるように片輪結びを行う段階、二つ折りにした第２帯の折った方の先端を第１帯の結び目と胴部に巻き付けた部位との間に下から通す段階、第１帯の結び目の上方において第２帯が形成する輪部の中に紐を通し、紐の一方を第１帯の結び目の中に通す段階、紐両端を輪部に皺ができる程度に強く結ぶことによって、第１帯と第２帯とを緊結させる段階、第２帯の先端部を第１帯の結び目の下側に上方から下方へ通してお太鼓土台を形成する段階、第２帯の先端部を第１帯の結び目の下側に上方から下方へ通した後、第２帯の形を整えてお太鼓を形成する段階、を含む。
【選択図】図２３【図１】
0006718031.tif 000002
【図２】
0006718031.tif 000003
【図３】
0006718031.tif 000004
【図４】
0006718031.tif 000005
【図５】
0006718031.tif 000006
【図６】
0006718031.tif 000007
【図７】
0006718031.tif 000008
【図８】
0006718031.tif 000009
【図９】
0006718031.tif 000010
【図１０】
0006718031.tif 000011
【図１１】
0006718031.tif 000012
【図１２】
0006718031.tif 000013
【図１３】
0006718031.tif 000014
【図１４】
0006718031.tif 000015
【図１５】
0006718031.tif 000016
【図１６】
0006718031.tif 000017
【図１７】
0006718031.tif 000018
【図１８】
0006718031.tif 000019
【図１９】
0006718031.tif 000020
【図２０】
0006718031.tif 000021
【図２１】
0006718031.tif 000022
【図２２】
0006718031.tif 000023
【図２３】
0006718031.tif 000024
【図２４】
0006718031.tif 000025
【図２５】
0006718031.tif 000026
【図２６】
0006718031.tif 000027
【図２７】
0006718031.tif 000028
【図２８】
0006718031.tif 000029
【図２９】
0006718031.tif 000030
【図３０】
0006718031.tif 000031
【図３１】
0006718031.tif 000032
【図３２】
0006718031.tif 000033
【図３３】
0006718031.tif 000034
【図３４】
0006718031.tif 000035
【図３５】
0006718031.tif 000036
【図３６】
0006718031.tif 000037
【図３７】
0006718031.tif 000038
【図３８】
0006718031.tif 000039
【図３９】
0006718031.tif 000040
【図４０】
0006718031.tif 000041
【図４１】
0006718031.tif 000042
【図４２】
0006718031.tif 000043